(57)【特許請求の範囲】
【請求項１】
それぞれ略矩形をなした背板及び前板を有し、これら背板及び前板の一端同士が折り込み線を介して接続された板状のブランクであって、前記背板及び前記前板を互いに重ね合わせるべく前記折り込み線に沿って折り込み可能である、ブランクと、
前記ブランクの内面に前記長手方向に沿う両側縁部をそれぞれ残し、前記背板から前記前板に亘って接着された粘着シートであって、害虫を捕獲可能な粘着面及び該粘着面を覆うフィルム状の剥離材を有する、粘着シートと、
前記背板及び前記前板の他端部にそれぞれに設けられ、前記前板が折り込まれた際に前記前板を円弧状に湾曲させて前記背板と前記前板との間に側方からの害虫の侵入を許容するスペースを確保し、この状態で前記他端同士を互いに分離可能に結合する一方、前記背板及び前記前板の吊り下げを可能にする、一対の係合要素と、
前記背板及び前記前板の一方の前記両側縁部に設けられ、前記両側縁部を部分的に前記粘着シートに沿い前記背板及び前記前板の他方に向けて折り込み可能とし且つ折り込まれたときに互いに対向する少なくとも一対のフラップと
を具備する吊り下げ式組立型虫捕獲器。
【請求項２】
前記ブランクは、前記背板及び前記前板に長手方向に沿って真っ直ぐに延びる両側縁を有し、
前記各フラップは、前記背板及び前記前板の一方の前記両側縁部の一部からそれぞれ形成され、前記長手方向に互いに離間した２つ切り込み線と、これら切り込み線の内端同士を接続し且つ前記長手方向に延びる折り曲げ線とによって区画されている、請求項１に記載の吊り下げ式組立型虫捕獲器。
【請求項３】
前記粘着シートの前記粘着面に害虫誘引剤の貼り付け位置が規定されている請求項２に記載の吊り下げ式組立型虫捕獲器。
【請求項４】
前記貼り付け位置は前記背板の領域に位置付けられている請求項３に記載の吊り下げ式組立型虫捕獲器。
【請求項５】
前記貼り付け位置は２箇所に規定されている請求項３に記載の吊り下げ式組立型虫捕獲器。
【請求項６】
前記一対のフラップは、前記背板の前記両側縁部に一対の主フラップとして形成されている請求項３に記載の吊り下げ式組立型虫捕獲器。
【請求項７】
前記背板の前記両側縁部は、前記一対の主フラップとは別個に一対の副フラップを含み、前記一対の副フラップ及び前記一対の主フラップは前記背板の長手方向に間隔を存して配置されている請求項５に記載の吊り下げ式組立型虫捕獲器。
【請求項８】
前記背板の前記両側縁部は、前記一対の主フラップと前記一対の副フラップとの間に少なくとも一対の予備フラップを更に含む請求項７に記載の吊り下げ式組立型虫捕獲器。
【請求項９】
前記ブランクが前記折り込み線に沿い前記粘着シートとともに予め折り込まれた状態にある請求項１〜８の何れかに記載の吊り下げ式組立型虫捕獲器。
【請求項１０】
請求項８に記載の吊り下げ式組立型虫捕獲器と、
前記組立型捕獲器の前記粘着シート上に害虫を誘引する害虫誘引剤と
を具備した吊り下げ式組立型虫捕獲器のセット。
【発明の詳細な説明】
【技術分野】
【０００１】
本発明は、害虫の捕獲に使用される吊り下げ式組立型虫捕獲器に関する。
【背景技術】
【０００２】
この種の虫捕獲器は例えば、以下の特許文献１に開示されている。この特許文献１の虫捕獲器は籠体(trap cage)を備え、該籠体は１枚の紙製のブランクを折り込むことによって形成されている。籠体はその内部にスペースを確保し、該スペースは籠体の両側面にそれぞれ形成された開口を通じて開放されている。それ故、害虫は籠体の開口を通じてスペース内に侵入することができる。一方、スペースを区画する内面、即ち、ブランクの内面には粘着シートが予め接着されており、この粘着シートの粘着面に害虫誘引剤が貼り付けられている。
【０００３】
害虫誘引剤は害虫を誘い込むのに有効な成分を放出し、スペース内への害虫の侵入を促進させる。スペース内に侵入した害虫は粘着シートの粘着面に貼り付き、粘着シート上に捕獲される。この後、捕獲された害虫に関して、害虫の種類や捕獲数が検証される。このような検証は、虫捕獲器が設置されている環境下での害虫の発生状況を速やかに把握するうえで役立つ。
【先行技術文献】
【特許文献】
【０００４】
【特許文献１】特開平7-236398号公報
【発明の概要】
【発明が解決しようとする課題】
【０００５】
上述の虫捕獲器が設置された環境が清澄であれば、虫を捕獲する粘着シートの粘着性に何ら悪影響が及ぶものではない。しかしながら、粉塵の濃度が高い劣悪な環境下に虫捕獲器が設置されている場合、粘着シートの粘着性は急減に低下する。即ち、前記劣悪な環境下では粘着シートの粘着面に粉塵が付着し易く、付着した粉塵は粘着シートの粘着性を大幅に低下させる。この結果、粘着シートの粘着性は長期に亘って維持されない。この点、虫捕獲器内への粉塵の侵入を物理的に妨げようとすれば、虫捕獲器内への害虫自体の侵入をも抑制されてしまい、虫捕獲器が害虫を捕獲する効率、つまり、捕虫効率の低下が危惧される。
【０００６】
本発明の目的は、粉塵濃度が高い環境下に設置されたとしても、害虫を捕獲する粘着シートの性能、即ち、粘着シートの粘着性を長期に亘って維持することができる吊り下げ式組立型虫捕獲器を提供することにある。
【課題を解決するための手段】
【０００７】
上述の目的は、本発明の吊り下げ式組立型虫捕獲器によって達成され、この組立型虫捕獲器は、それぞれ略矩形をなした背板及び前板を有し、これら背板及び前板の一端同士が折り込み線を連なる板状のブランクであって、前記背板及び前記前板を互いに重ね合わせるべく前記折り込み線に沿って折り込み可能である、ブランクと、
前記ブランクの内面に前記長手方向に沿う両側縁部をそれぞれ残し、前記背板から前記前板に亘って接着された粘着シートであって、害虫を捕獲可能な粘着面及び該粘着面を覆うフィルム状の剥離材を有する、粘着シートと、
前記背板及び前記前板の他端部にそれぞれに設けられ、前記前板が折り込まれた際に前記前板を円弧状に湾曲させて前記背板と前記前板との間に側方からの害虫の侵入を許容するスペースを確保し、この状態で前記他端部同士を互いに分離可能に結合する一方、前記背板及び前記前板の吊り下げを可能にする、一対の係合要素と、
前記背板及び前記前板の一方の前記両側縁部に設けられ、前記両側縁部を部分的に前記粘着シートに沿い前記背板及び前記前板の他方に向けて折り込み可能とし且つ折り込まれたときに互いに対向する少なくとも一対のフラップと
を具備する。
好ましくは、前記ブランクの前記背板及び前記前板は前記長手方向に沿って真っ直ぐに延びる両側縁を有し、そして、各フラップは、前記背板及び前記前板の一方の前記両側縁部の一部からそれぞれ形成され、長手方向に互いに離間した２つ切り込み線と、これら切り込み線の内端同士を接続し且つ長手方向に延びる折り曲げ線とによって区画されている。
【０００８】
粉塵の多い環境下に虫捕獲器が設置される場合、本発明者は、粉塵の侵入を一対のフラップで抑制すれば、捕虫効率が大幅に低下しないという予想外の効果を見出した。
詳しくは、上述の組立型虫捕獲器によれば、一対のフラップは背板又は前板の両側縁部に備えられ、虫捕獲器が粉塵の多い環境下に設置される場合、一対のフラップは折り込まれ、背板又は前板に対して起立する。このようにて起立したフラップはスペース内への害虫の侵入を妨げることなく、粘着シートの粘着面を粉塵から保護する衝立として有効に機能し、よって、粘着面への粉塵の付着が低減される。
本発明の他の目的及び好適な形態は、添付図面を参照する後述の説明から明らかとなる。
【発明の効果】
【０００９】
粉塵の多い環境下でも、本発明の吊り下げ式組立型虫捕獲器は一対のフラップの働きによって粘着シートの粘着面に付着する粉塵を低減できるから、粘着シートの粘着性を長期に亘って維持でき、この結果、害虫の捕獲性能を効果的に発揮することができる。
【図面の簡単な説明】
【００１０】
【図１】本発明の一実施形態に係る組立前の虫捕獲器の平面図である。
【図２】図１の虫捕獲器を形成するブランクの展開図である。
【図３】図２の粘着シートの断面図である。
【図４】図２の折り込みフラップの一部を示す図である。
【図５】組立完了後の虫捕獲器を示す斜視図である。
【図６】図５の虫捕獲器の上部を背面からみた図である。
【図７】態様０の虫捕獲器の概略側面図である。
【図８】態様１の虫捕獲器の概略側面図である。
【図９】態様２の虫捕獲器の概略側面図である。
【図１０】態様３の虫捕獲器の概略側面図である。
【図１１】粉塵が多い環境下に虫捕獲器を晒す暴露試験装置の概略図である。
【図１２】粉塵が多い環境下に晒された虫捕獲器の捕虫機能を検証する捕虫試験装置の概略図である。
【発明を実施するための形態】
【００１１】
図１を参照すれば、本発明の一実施形態に係る吊り下げ式組立型虫捕獲器（以下、単に虫捕獲器と称する）は、組立前の状態で示されている。
組立前の虫捕獲器は１枚の紙製ブランク(blank)１０を備え、該ブランク１０は二つ折りにして折り畳まれている。図２にブランク１０の展開図が示されているように、ブランク１０は細長い板状をなし、略矩形の背板１２と、同じく矩形の前板１４とを有する。図１でみて背板１２及び前板１４の下端（一端）同士は折り込み線１６を介して接続されている。それ故、前板１４は折り込み線１６に沿い背板１２に向けて折り込むことができ、虫捕獲器が組立前の状態にあるとき、図１に示されるように前板１４は背板１２に重ね合わされている。
【００１２】
図２に示されるように、背板１２及び前板１４の長手方向に沿う長さがそれぞれLr,Lfで表されるとき、前板１４の長さLfは背板１２の長さLrよりも所定の長さだけ長い。それ故、図１に示されるように前板１４が背板１２に重ね合わされたとき、前板１４の上端（他端）は背板１２の上端（他端）からはみ出す。
更に、背板１２はその長手方向の全域に亘って一定の幅Wrを有しているものの、前板１４の幅は一定ではない。詳しくは、前板１４の上端部は背板１２の幅Wrと同一の幅を有するが、前板１４における上端部と下端部との間の部位は幅Wfを有し、この幅Wfは幅Wrよりも所定の幅だけ広い。更に、前板１４の下端部の幅はWfからWrまで徐々に減少されている。
再度、図２を参照すれば、ブランク１０の内面には長尺な粘着シート(adhesive sheet)１８が予め接着されている。この粘着シート１８は背板１２の上端部から折り込み線１６を越えて前板１４の上端部まで延びている。
【００１３】
詳しくは、粘着シート１８はブランク１０の外周縁部を除き、ブランク１０の内面の全域に貼り付けられている。それ故、背板１２及び前板１４共に、粘着シート１８から露出した両側縁部及び上端部をそれぞれ有する。
粘着シート１８は両面接着テープ(double-coated adhesive tape)のような形態をなし、ブランク１０の内面に接着される接着面と、露出した粘着面２０とを有する。虫捕獲器が組立前の状態にあるとき、図３に示されるように粘着面２０はフィルム(film)状の剥離材２２で覆われている。
【００１４】
更に、粘着面２０には害虫誘引剤の貼り付け位置が例えば２箇所に規定されており、これら貼り付け位置は図２中、参照符号２４U，２４Lで示されている。貼り付け位置２４U，２４Lは何れも背板１２に位置付けられ、貼り付け位置２４U，２４L間には背板１２の長手方向に沿い所定の間隔が確保されている。背板１２の長手方向でみて背板１２の中央位置は例えば、貼り付け位置２４U，２４L間に規定されている。
【００１５】
本実施形態の場合、貼り付け位置２４U，２４Lはそれぞれマーク(mark)で表され、これらマークはブランク１０の内面又は粘着面２０に印刷されている。
貼り付け位置２４U，２４Lには、性フェロモン(sex pheromone)誘因剤及び食餌誘因剤の何れかが貼り付けられる。性フェロモン誘因剤は捕獲対象となる害虫の性フェロモンを含み、食餌誘引剤は害虫の食餌成分を含んでいる。
【００１６】
一方、粘着シート１８から露出した背板１２の上端部には切り込み線２６が形成されている。この切り込み線２６は背板１２の幅方向でみて中央に位置付けられ、背板１２の上端に向けて開いたＵ字形をなす。このような切り込み線２６は背板１２の上端部に係合タブ(engagement tab)２８を形成する。この係合タブ２８は背板１２の内面から持ち上げることができ、持ち上げられた係合タブ２８は後述する一対の係合要素のうちの一方の係合要素を形成する。
【００１７】
また、切り込み線２６の両端２６ｅは係合タブ２８の外側に向けて折り返され、係合タブ２８のＵ字形とは逆向きのＵ字形をなしている。係合タブ２８が持ち上げられたとき、両端２６ｅは係合タブ２８における根元の両側に円弧状の隅部を形成する。
更に、本実施形態の場合、係合タブ２８の中央には貫通孔３０が形成されている。この貫通孔３０はブランク１０、即ち、背板１２の吊り下げを可能とする。
一方、前板１４の上端には係合切欠３２が形成され、この係合切欠３２は前板１４の幅方向中央に配置されている。係合切欠３２は他方の係合要素を形成する。本実施形態の場合、係合切欠３２はＵ字部３２Uと、このＵ字部３２Uの両側にそれぞれ隣接するＶ字部３２Vとを含み、これらＶ字部３２Vは前板１４の上端に滑らかに連なっている。
【００１８】
ここで、Ｖ字部３２Vの底と折り込み線１６との間の距離Ｄは背板１２の長さLrに一致する。また、Ｕ字部３２Uは貫通孔３０の直径と同一の幅を有し、貫通孔３０と合致可能である。
更に、前板１４は折り込み線３４を有する。この折り込み線３４は粘着シート１８と係合切欠３２との間に配置され、前板１４を横断して延びている。なお、折り込み線３４と前板１４の上端との間の距離は、背板１２の上端と粘着シート１８との間の距離に一致する。
【００１９】
本実施形態では、背板１２の両側縁部には例えば三対のフラップ(flap)、即ち、一対の主フラップ３６m、一対の副フラップ３６s及び一対の予備フラップ３６pが形成されている。詳しくは、一対の主フラップ３６m及び一対の副フラップ３６sは折り込み線１６側及び背板１２の上端側にそれぞれ分かれて配置され、一対の予備フラップ３６pは主フラップ３６mと副フラップ３６sとの間に配置されている。
上述の各フラップ３６は２つの切り込み線３８と、１つの折り込み線（折り曲げ線）４０（図４参照）とによって区画されている。２つの切り込み線３８は背板１２の長手方向に互いに離間し且つ背板１２の対応する側の側縁部を横断している。折り込み線４０は切り込み線３８の内端同士を互いに接続し、粘着シート１８に沿い背板１２の長手方向に延びている。
【００２０】
更に詳しくは、図４に示されるように切り込み線３８は、粘着シート１８側に位置付けられたスリット(slit)３８aと、背板１８の側縁に開口したスリット３８ｂとを有し、スリット３８ｂの長さはスリット３８aの長さよりも短い。これらスリット３８a，３８b間には破断可能な継ぎ目４２が残され、この継ぎ目４２の長さLjは例えば２mm程度である。
更に、一対の主フラップ３６mは貼り付け位置２４Lと折り込み線１６との間に配置されており、主フラップ３６mを区画する上側の切り込み線３８は貼り付け位置２４Lの直下に位置付けられている。
【００２１】
一方、一対の副フラップ３６sは貼り付け位置２４Uを両側から挟み込むように配置され、副フラップ３６sを区画する下側の折り込み線３８は貼り付け位置２４Uの直下に位置付けられている。
更に詳しくは、本実施形態の場合、背板１２の長手方向に沿う各フラップ３６m、３６s，３６pの長さを比較したとき、主フラップ３６mは副フラップ３６s及び予備フラップ３６pよりも長く、副フラップ３６s及び予備フラップ３６pは同一の長さを有する。
【００２２】
上述の虫捕獲器は図１に示された折り畳み状態から組み立てて使用される。以下、虫捕獲器の組み立てに関して詳述する。
虫捕獲器が図１の折り畳み状態にあるとき、前述したようにブランク１０は剥離材２２で覆われた粘着シート１８とともに折り込まれ、背板１２及び前板１４が剥離材２２及び粘着シート１８を介して互いに重なり合っている。
【００２３】
このような状態からブランク１０は図２に示されるように展開され、剥離材２２が粘着シート１８から剥がされる。それ故、粘着シート１８の粘着面２０が露出され、粘着面２０の貼り付け位置２４U，２４Lに性フェロモン誘引剤Ａ及び食餌誘引剤Ｂがそれぞれ貼り付けられる。ここで、誘引剤Ａ，Ｂの貼り付け位置は逆であってもよい。
この後、前板１４の上端部は折り込み線３４に沿って谷折りされる。つまり、前板１４の上端部は前板１４の外面側に向けて折り込まれ、差し込みタブ４４を形成する。一方、係合タブ２８が切り込み線２６に沿い背板１２の内面から持ち上げられ、係合タブ２８と背板１２の内面との間にギャップ(gap)が形成される。
【００２４】
この後、前板１４が粘着シート１８とともに折り込み線１６に沿い背板１２に向けて再び折り込まれる。この際、図５に示されるように前板１４の差し込みタブ４４が込みギャップに部分的に差し込まれる。この際、図６から明らかなように、係合タブ２８における根元の両側部分が係合切欠３２の両Ｖ字部３２Vに填まり込み、これにより、係合タブ２８及び係合切欠３２が互いに係合する。
この結果、背板１２及び前板１４が互いに分離可能に結合される結果、背板１２及び前板１４は図５に示される籠体１７を形成する。この際、係合タブ２８の貫通孔３０が係合切欠３２のＵ字部３２Uに合致し、これら貫通孔３０及びＵ字部３２Uは互いに協働してフック孔(hook hole)４６を形成する。
この時点にて、虫捕獲器の組立が完了し、この組立済みの虫捕獲器は例えば屋内の柱や壁面等から突出したフック（図示しない）にフック孔４６を介して吊り下げられる。
【００２５】
一方、前述の距離Ｄが背板１２の長さLrに一致するにも拘わらず、係合タブ２８の根元に係合切欠３２の両Ｖ字部３２Vが係合するので、籠体１７の前板１４は図５に示されるように外側に向けて湾曲した状態に変形され、この結果、図７に示されるように背板１２と前板１４との間には、籠体１７の縦断面でみて三日月形のスペース(space)Ｓが確保される。なお、図７中、前述のフック孔４６はその軸線のみで示されている。
このようなスペースＳは籠体１７の両側面にてそれぞれ開口する。それ故、前述の性フェロモン誘引剤Ａ及び食餌誘引剤Ｂからそれぞれ放出された成分はスペースＳ内に充満し、更に、スペースＳから籠体１７の外に放出される。この結果、捕獲対象の害虫は上述の成分に誘引されてスペースＳ内に侵入し、侵入した害虫は粘着シート１８の粘着面２０に貼り付いて捕獲される。
【００２６】
虫捕獲器が設置された屋内が清澄な環境下にあれば、粘着シート１８における粘着面２０の粘着性は、性フェロモン誘引剤Ａ及び食餌誘引剤Ｂの有効使用期間よりも十分に長い粘着保証期間に亘って維持される。
しかしながら、例えば製粉工場の建屋内等のように粉塵が多い環境下に虫捕獲器が設置されていれば、粉塵が籠体１７のスペースＳに侵入し、粘着シート１８の粘着面２０に付着してしまう。この場合、粘着面２０は本来の粘着性を前記粘着保証期間に亘って維持できず、この結果、虫捕獲器による害虫の捕獲性能が大幅に低下する。
この点、本実施形態の虫捕獲器は粉塵の多い環境下に設置される場合、前述の三対のフラップ３６m，３６s，３６pのうち、少なくとも１つの対のフラップを起立させることで、粉塵に対して対処可能となる。
【００２７】
図７に示された虫捕獲器の場合、三対のフラップ３６m，３６s，３６pの何れも起立されておらず、このような図７の虫捕獲器の態様を態様０とする。これに対し、図８に示された虫捕獲器の場合、一対の主フラップ３６mは折り込み線４０（図４参照）に沿い前板１４に向けてそれぞれ折り込まれることにより、共に起立し且つ互いに対向している。このような図８の虫捕獲器の態様を態様１とする。また、図９に示された虫捕獲器の場合、一対の主フラップ３６mに加えて、一対の副フラップ３６sもまた同様に起立されている。このような図９の虫捕獲器の態様を態様２とする。
更に、図１０に示された虫捕獲器の場合、三対のフラップ３６m，３６s，３６pの全てが起立されている。このような図１０の虫捕獲器の態様を態様３とする。
【００２８】
態様１，２，３の虫捕獲器の何れにあっても、主フラップ３６m及び副フラップ３６sは衝立として機能する。しかしながら、態様１〜３何れであっても、主フラップ３６m、副フラップ３６s及び予備フラップ３６pは図８〜図１０から明らかなように籠体１７における両側面の開口を完全に閉じるのではなく、その開口を部分的に閉じるだけに過ぎない。それ故、態様１〜３の虫捕獲器の場合、主フラップ３６m、副フラップ３６s及び予備フラップ３６pはスペースＳ内への害虫の侵入を妨げることなく、スペースＳ内への粉塵の侵入を低減し、それ故、粘着シート１８の粘着面２０への粉塵の付着が大幅に低減されることになる。
この結果、虫捕獲器が粉塵の多い環境下に設置される場合、虫捕獲器（籠体）の態様が態様０から態様１、態様２又は態様３に変更されるだけで、虫捕獲器は粘着シート１８における粘着面２０の粘着性、即ち、害虫の捕獲性能を長期に亘って維持することができる。
【００２９】
なお、フラップ３６m，３６s，３６pが折り込み前の状態にあるとき、これらフラップ３６を区画する切り込み線３８の一部には継ぎ目４２が残されている。それ故、フラップ３６は継ぎ目４２によって背板１２における側縁の他の部位に接続された状態にあるので、折り込み前のフラップ３６m，３６s，３６pが不用意にばたつくようなことはない。
起立した主、副及び予備フラップ３６m，３６s，３６pの機能を検証するために、種々の粉塵濃度を有した粉塵環境を再現する暴露試験装置が準備された。この暴露試験装置に関して、図１１を参照しながら以下に説明する。
【００３０】
暴露試験装置は透明な暴露ケージ(exposing cage)Ｇを備え、この暴露ケージＧはその内部に暴露空間を規定する。該暴露空間は各辺が50cmの立方体である。暴露ケージＧの天板はその中央に給気口Ainを有する一方、その周縁に排気口Aoutを有する。これら給気口Ain及び排気口Aoutは給気源及び排気源にそれぞれ接続されている。給気源及び排気源は協働して暴露ケージＧ内を通過する空気流を発生させる。ここでの空気流量は60L/minである。
【００３１】
一方、暴露ケージＧ内にはその中央に四角柱Ｐが配置され、該四角柱Ｐは給気口Ainの下方に位置付けられている。四角柱Ｐの幅、奥行き及び高さはそれぞれ17cm，14.5cm,25cmである。
四角柱Ｐの上面にはカップ(cup)Ｃが配置されており、このカップＣには粉塵として例えば小麦粉（品種:ゆきちから）が受け入れられている。例えば、カップＣは90gまでの小麦粉を受入れ可能な容積を有し、カップＣの内径及び深さはそれぞれ7.5cm，4.5cmである。
【００３２】
次に、上述の暴露試験装置を使用して、種々の粉塵濃度を有した環境下にて、組立済みの虫捕獲器を暴露させる試験を行う。この試験の具体的な手順を以下に説明する。
(i)先ず、態様０の虫捕獲器Ｔを１２個準備し、これら虫捕獲器Ｔの総重量を測定する（各虫捕獲器には前述の性フェロモン誘引剤Ａ及び食餌誘引剤Ｂが取り付けられている）。
(ii)四角柱Ｐの４つの側面に虫捕獲器Ｔを３個ずつ重ねて吊り下げる。
【００３３】
(iii)四角柱Ｐ上のカップＣに粉塵としての小麦粉を試験量だけ投入する。
(iv)暴露ケージＧに対する給気及び排気を実行し、暴露ケージＧ内を通過する空気流を上述の空気流量にて連続的又は間欠的に発生させる。このような空気流の発生はカップＣ内の小麦粉が全て暴露ケージＧ内に飛散されるまで継続される。
(v)暴露ケージＧから１２個の虫捕獲器Ｔを回収し、これら虫捕獲器Ｔから余分な小麦粉を払い落す。
(vi)次に、粉塵量（小麦粉量）の条件が異なる状態で、前記(i)〜(v)までの試験手順を行い、各粉塵条件下に暴露された態様０の虫捕獲器Ｔをそれぞれ得る。
(vii)前記(i)〜(vi)までの試験手順を態様１〜３の虫捕獲器に対しても同様に実施し、各粉塵条件下に暴露された態様１〜３の虫捕獲器Ｔをそれぞれ得る。
【００３４】
一方、粉塵に暴露された虫捕獲器の捕虫性能を検証するために捕虫試験装置が準備された。この捕虫試験装置に関して、図１２を参照しながら以下に説明する。
捕虫試験装置は透明な捕虫ケージＨを備え、この捕虫ケージＨはその内部に捕虫空間を規定し、この捕虫空間は各辺が50cmの立方体である。
捕虫ケージＨの天板はその周縁に外気導入口Binを有する。一方、外気導入口Bin側の捕虫ケージＨの側壁に対向する側壁は捕虫ケージＨの底の近傍に吸引口Boutを有する。外気導入口Binは外気に開放されている一方、吸引口Boutは例えば吸引ポンプに接続されている。この吸引ポンプは捕虫ケージＨ内の空気を吸引する。このような空気の吸引は、外気導入口Binを通じて捕虫ケージＨ内に空気を導入する。それ故、捕虫ケージＨ内を通過する空気流が発生され、ここでの空気流量は２５０ml/minである。
【００３５】
次に、上述の捕虫試験装置を使用し、様々な粉塵の環境下で得られた虫捕獲器Ｔの害虫捕獲試験を行う。ここでの捕獲試験の具体的な手順について以下に説明する。
(a)先ず、態様０の虫捕獲器Ｔの１つを捕虫ケージＨの内側面に吊り下げる。
(b)捕虫ケージＨ内に捕獲対象として100匹のタバコシバンムシを放飼する。ここでのタバコシバンムシは、餌の表面に出現したタバコシバンムシの中から２日目のタバコシバンムシをランダムに採取して得られたものであり、それ故、100匹中には雌雄のタバコシバンムシが混在する。
【００３６】
(c)捕虫ケージＨを室温３０℃且つ全暗の環境下に置き、そして、２４時間が経過した後、捕虫ケージＨから虫捕獲器Ｔを回収する。
(d)虫捕獲器Ｔに捕獲されたタバコシバンムシの数を測定する。
(e)前記(a)〜(d)までの試験手順を同一の粉塵環境下に暴露された態様０の虫捕獲器Ｔに対して４回ずつ繰り返し、平均捕虫数及び態様０の虫捕獲器Ｔにおける平均捕虫率を相対比にて算出する。ここで、相対比は、粉塵に晒されない態様０の虫捕獲器の平均捕虫率を１．００として表されている。
(f)前記(a)〜(e)までの試験手順を態様１〜３の虫捕獲器Ｔに対しても同様に実施し、態様１〜３の虫捕獲器の平均捕虫率を相対比にて算出する。
【００３７】
上述の試験手順にて得られた試験結果を以下の表1に示す。
【表１】
0005959700.tif 000002
【００３８】
表１から明らかなように虫捕獲器が粉塵の多い環境に設置されたとき、態様０の虫捕獲器における捕虫率の相対比は粉塵の量が多ければ多い程、大きく低下した。これに対し、態様１〜３の虫捕獲器における捕虫率の相対比は、粉塵の量が極端に多くなければ、余り低下しなかった。このことは、態様１〜３の虫捕獲器がスペースＳ内への害虫の誘引及び侵入を妨げることなく、粘着シート１８の粘着面２０に付着する粉塵を低減でき、この結果、態様１〜３の虫捕獲器が長期に亘って害虫を捕獲できることを示す。
【００３９】
粉塵の量が極端に多い環境下（例えば、表１中の粉塵量が９０g）の場合、態様３での捕虫率の相対比は態様１，２での捕虫率の相対比に比べて余り低下していなかった。このことは一見、虫捕獲器（籠体）における両側面の開口が減少される程、害虫の捕虫性能に優れることを示すものの、これは真実ではない。
詳しくは、虫捕獲器における害虫の捕虫性能は粘着シート１８の粘着性のみによって決定されるのではなく、前述のスペースＳへの害虫の侵入し易さにも大きく左右される。即ち、虫捕獲器の前記開口は減少されればされる程、スペースＳ内への粉塵の侵入を低減できる一方、害虫の侵入をも阻止してしまう虞がある。それ故、粉塵の多い環境下では捕獲対象の害虫のサイズ及び粉塵量に応じて、使用すべき虫捕獲器を態様１〜３の中から必要がある。
本発明の場合、主フラップ３６m、幅フラップ３６s及び予備フラップ３６pを粉塵量や害虫のサイズに合わせて起立させることで、どのような環境・害虫にも対応が可能である。
【００４０】
上述の実施形態の虫捕獲器の場合、上側の貼り付け位置２４Uに性フェロモン誘引剤Ａが貼り付けられ、下側の貼り付け位置２４Lに食餌誘引剤Ｂが貼り付けられている。これら性フェロモン誘引剤Ａ及び食餌誘引剤Ｂの貼り付け位置が捕虫性能に影響するか否かを検証するため、態様０'の虫捕獲器が準備され、態様０'の虫捕獲器の場合、上側の貼り付け位置２４Uに食餌誘引剤Ｂが貼り付けられ、下側の貼り付け位置２４Lに性フェロモン誘引剤Ａが貼り付けられている。
態様０'の虫捕獲器に対して害虫の捕獲試験を同様に行い、以下の表２に示す結果を得た。
【表２】
0005959700.tif 000003
なお、態様０'の虫捕獲器の場合もまた、態様０の虫捕獲器と同様に何れのフラップ３６も起立されていない。
表２から明らかなように、性フェロモン誘引剤Ａ及び食餌誘引剤Ｂの貼り付け位置は、害虫の捕獲性能に実質的に影響しなかった。このことは、性フェロモン誘引剤Ａ及び食餌誘引剤Ｂが背板１４及び粘着シート１８の任意の位置に貼り付け可能であることを示す。例えば、性フェロモン誘引剤Ａ及び食餌誘引剤Ｂは粘着シート１８の幅方向に隣接して貼り付けられていてもよい。
【００４１】
本発明は上述の一実施形態に制約されるものではなく種々の変更が可能である。
例えば、予備フラップ３６pは、主フラップ３６m及び副フラップ３６sと切込み線３８を共有しているが、自身のみの切込み線によって区画されていてもよい。
また、虫捕獲器は四対以上のフラップを備えていてもよい。更に、フラップは背板１２ではなく前板１４の両側縁部に配置されてもよいし、背板１２及び前板１４の双方に配置されていてもよい。
フラップの起立姿勢を安定させる必要があれば、例えば前板又は背板にスロットを形成し、該スロットに対し、起立されたフラップを部分的に差し込むようにしてもよい。
更に、虫捕獲器は使用時、吊り下げに限らず、所望の場所に背板１２を下にして配置されてもよい。
最後に、虫捕獲器の吊り下げ手段や、背板と前板との間の結合手段なども種々に変更可能であることは言うまでもない。
【符号の説明】
【００４２】
１０                            ブランク
１２                            背板
１４                            前板
１６                            折り込み線
１７                            籠体
１８                            粘着シート
２０                            粘着面
２２                            剥離材
２４U，２４L                   貼り付け位置
２８                            係合タブ（係合要素）
３０                            貫通孔（係合要素）
３２                            係合切欠（係合要素）
３６m                          主フラップ
３６s                          副フラップ
３６p                          予備フラップ
３８                            切り込み線
４０                            折り込み線（折り曲げ線）
Ａ                              性フェロモン誘引剤
Ｂ                              食餌誘引剤
Ｓ                              スペース
【図１】
0005959700.tif 000004
【図２】
0005959700.tif 000005
【図３】
0005959700.tif 000006
【図４】
0005959700.tif 000007
【図５】
0005959700.tif 000008
【図６】
0005959700.tif 000009
【図７】
0005959700.tif 000010
【図８】
0005959700.tif 000011
【図９】
0005959700.tif 000012
【図１０】
0005959700.tif 000013
【図１１】
0005959700.tif 000014
【図１２】
0005959700.tif 000015